(57)【要約】【課題】通話機能使用時の操作性に優れた折り畳み式携帯通信装置を提供する。【解決手段】表示部２０２を有する上側ユニット２００と下側ユニット１００とがヒンジ部３００により開閉および回転可能に連結されている。上側ユニットの内表面には表示部を挟んで先端側には第１スピーカ２０３が、ヒンジ側に第２スピーカ２３０がそれぞれ設けられ、下側ユニットの先端側にはマイクロフォン１０３が設けられている。上側ユニットの表示部を外側に向けて閉じると、第２スピーカ２０３が受話器として、マイクロフォン１０３が送話器として機能し、閉じた状態でも通話が可能になる。【選択図】  図１
2004336091.tif 000002
【特許請求の範囲】
【請求項１】
第１筐体と、第２筐体と、前記第１筐体と前記第２筐体とを開閉可能かつ回転可能に連結するヒンジ部と、を有する折り畳み式携帯通信装置において、
前記第１筐体の第１内表面の先端側に設けられ、少なくとも受話器機能を有する第１変換手段と、
前記第１内表面の前記ヒンジ部側に設けられ、少なくとも受話器機能を有する第２変換手段と、
前記第２筐体の第２内表面の先端側に設けられ、送話器機能を有する第３変換手段と、
前記第１筐体および前記第２筐体の相対的位置関係に従って、前記第１、第２および第３変換手段から選択された２つの手段を受話器および送話器としてそれぞれ機能させる制御手段と、
を有することを特徴とする折り畳み式携帯通信装置。
【請求項２】
前記制御手段は、
前記第１および第２筐体が開いた状態で、前記第１変換手段を受話器として、前記第３変換手段を送話器としてそれぞれ機能させ、
前記第１筐体の前記第１内表面を外部に露出して前記第１および第２筐体が閉じた状態で、前記第２変換手段を受話器として、前記第３変換手段を送話器としてそれぞれ機能させる、
ことを特徴とする請求項１記載の折り畳み式携帯通信装置。
【請求項３】
前記第１変換手段は受話器機能および送話器機能のいずれかを選択でき、
前記制御手段は、
前記第１および第２筐体が開いた状態で、前記第１変換手段を受話器として、前記第３変換手段を送話器としてそれぞれ機能させ、
前記第１筐体の前記第１内表面を外部に露出して前記第１および第２筐体を閉じた状態で、前記第１変換手段を送話器として、前記第２変換手段を受話器として、それぞれ機能させることを特徴とする請求項１記載の折り畳み式携帯通信装置。
【請求項４】
第１筐体と、第２筐体と、前記第１筐体と前記第２筐体とを開閉可能かつ回転可能に連結するヒンジ部と、を有する折り畳み式携帯通信装置において、
前記第１筐体の第１内表面の先端側に設けられ、受話器機能および送話器機能を選択的に有する第１変換手段と、
前記第１内表面の前記ヒンジ部側に設けられ、受話器機能および送話器機能を選択的に有する第２変換手段と、
前記第１筐体および前記第２筐体の相対的位置関係に従って、前記第１変換手段および前記第２変換手段の受話器機能および送話器機能を、一方が受話器となり他方が送話器となるように切り替える制御手段と、
を有することを特徴とする折り畳み式携帯通信装置。
【請求項５】
第１筐体と、第２筐体と、前記第１筐体と前記第２筐体とを開閉可能かつ回転可能に連結するヒンジ部と、を有する折り畳み式携帯通信装置において、
前記第１筐体の第１内表面の先端側に設けられ、受話器機能および送話器機能を選択的に有する第１変換手段と、
前記ヒンジ部の上面に設けられ、前記第１筐体および前記第２筐体が平行になる状態で外部に露出する少なくとも受話器機能を有する第２変換手段と、
前記第２筐体の第２内表面の先端側に設けられ、送話器機能を有する第３変換手段と、
前記第１筐体および前記第２筐体の相対的位置関係に従って、前記第１、第２および第３変換手段から選択された２つの手段を受話器および送話器としてそれぞれ機能させる制御手段と、
を有することを特徴とする折り畳み式携帯通信装置。
【請求項６】
前記制御手段は、
前記第１および第２筐体が開いた状態で、前記第１変換手段を受話器として、前記第３変換手段を送話器としてそれぞれ機能させ、
前記第１筐体の前記第１内表面を外部に露出して前記第１および第２筐体を閉じた状態で、前記第２変換手段を受話器として、前記第１変換手段を送話器としてそれぞれ機能させることを特徴とする請求項５記載の折り畳み式携帯通信装置。
【請求項７】
前記第１筐体の前記第１内表面には、さらに、副操作部が設けられ、前記制御手段は、前記第１筐体の前記第１内表面を外部に露出して前記第１および第２筐体を閉じた状態で、前記副操作部に着信応答および／または発信操作機能を割り当てることを特徴とする請求項１〜６のいずれかに記載の折り畳み式携帯通信装置。
【発明の詳細な説明】
【０００１】
【発明の属する技術分野】
本発明は折り畳み式携帯通信装置に係り、特に携帯電話機のような通話機能を有する折り畳み式携帯通信装置に関する。
【０００２】
【従来の技術】
最近、インターネットブラウザやメールなどの種々の機能を搭載した携帯電話機が登場しており、表示部の面積を大きくしたいという要求から折り畳み構造を採用しているものが多い。折り畳み式携帯電話機の多くは、通話時に２つの筐体を開いてディスプレイとキーとを露出させる構造を有しているが、最近では、閉じた状態でもディスプレイを外側へ向けることができる折り畳み構造が提案されている。
【０００３】
たとえば、特開２００１−３２０４６３号公報（特許文献１）には、表示装置を有するリッジ部が筐体本体に対して２軸方向に回転可能に連結され、表示装置を外側へ向けた状態で閉じることができる携帯端末装置が開示されている（図２参照）。
【０００４】
また、特開２００２−２８１１３５号公報（特許文献２）には音楽等のステレオ再生を可能にした携帯電話機が提案されている。具体的には、２つの筐体の背面にそれぞれスピーカ／マイク兼用の電気信号振動変換器を設け、一方は常にスピーカとして機能させ、他方は通話モード時にはマイクとして、音楽再生モード時にはスピーカとして機能させる（段落番号００２７〜００２８、図２）。スピーカ／マイクの切替は、携帯電話機に内蔵されたＣＰＵによって自動的に行われる（段落番号００３１）。
【０００５】
【特許文献１】
特開２００１−３２０４６３号公報（段落番号００２５、００２６、図２）
【特許文献２】
特開２００２−２８１１３５号公報（段落番号００２７〜００２８、００３１、図２）。
【０００６】
【発明が解決しようとする課題】
しかしながら、特許文献１および２に開示されている折り畳み式携帯電話機では、携帯電話機を開いた状態でのみ通話が可能である。特に、特許文献１に開示された携帯電話機では、表示装置を外側へ向けて閉じた状態でのカメラ機能の使用が想定されているが、通常の通話機能は開いた状態で使用しなければならない。したがって、表示装置を外側へ向けて閉じている時に通話しようと思えば、いちいち筐体を開く必要があり、使い勝手が悪かった。
【０００７】
また、筐体を閉じた状態で通話を可能にするには、筐体の背面（外側）にスピーカおよびマイクを設置する必要があるが、外見上好ましいものではない。
【０００８】
本発明の目的は、通話機能使用時の操作性に優れた折り畳み式携帯通信装置を提供することにある。
【０００９】
【課題を解決するための手段】
本発明によれば、第１筐体（上側ユニット）と、第２筐体（下側ユニット）と、前記第１筐体と前記第２筐体とを開閉可能かつ回転可能に連結するヒンジ部と、を有する折り畳み式携帯通信装置において、前記第１筐体の第１内表面の先端側に設けられ、少なくとも受話器機能を有する第１変換手段（スピーカあるいはスピーカ／マイクロフォン）と、前記第１内表面の前記ヒンジ部側に設けられ、少なくとも受話器機能を有する第２変換手段（スピーカあるいはスピーカ／マイクロフォン）と、前記第２筐体の第２内表面の先端側に設けられ、送話器機能を有する第３変換手段（マイクロフォン）と、前記第１筐体および前記第２筐体の相対的位置関係に従って、前記第１、第２および第３変換手段から選択された２つの手段を受話器および送話器としてそれぞれ機能させる制御手段と、を有することを特徴とする。
【００１０】
前記制御手段は、前記第１および第２筐体が開いた状態で、前記第１変換手段を受話器として、前記第３変換手段を送話器としてそれぞれ機能させ、前記第１筐体の前記第１内表面を外部に露出して前記第１および第２筐体が閉じた状態で、前記第２変換手段を受話器として、前記第３変換手段を送話器としてそれぞれ機能させることが望ましい。
【００１１】
さらに、前記第１変換手段が受話器機能および送話器機能のいずれかを選択できる場合、前記制御手段は、前記第１および第２筐体が開いた状態で、前記第１変換手段を受話器として、前記第３変換手段を送話器としてそれぞれ機能させ、前記第１筐体の前記第１内表面を外部に露出して前記第１および第２筐体を閉じた状態で、前記第１変換手段を送話器として、前記第２変換手段を受話器として、それぞれ機能させることができる。
【００１２】
本発明の他の側面によれば、第１筐体と、第２筐体と、前記第１筐体と前記第２筐体とを開閉可能かつ回転可能に連結するヒンジ部と、を有する折り畳み式携帯通信装置において、前記第１筐体の第１内表面の先端側に設けられ、受話器機能および送話器機能を選択的に有する第１変換手段（スピーカ／マイクロフォン）と、前記第１内表面の前記ヒンジ部側に設けられ、受話器機能および送話器機能を選択的に有する第２変換手段（スピーカ／マイクロフォン）と、前記第１筐体および前記第２筐体の相対的位置関係に従って、前記第１変換手段および前記第２変換手段の受話器機能および送話器機能を、一方が受話器となり他方が送話器となるように切り替える制御手段と、を有することを特徴とする。
【００１３】
さらに、本発明の他の実施形態によれば、第１筐体と、第２筐体と、前記第１筐体と前記第２筐体とを開閉可能かつ回転可能に連結するヒンジ部と、を有する折り畳み式携帯通信装置において、前記第１筐体の第１内表面の先端側に設けられ、受話器機能および送話器機能を選択的に有する第１変換手段（スピーカ／マイクロフォン）と、前記ヒンジ部の上面に設けられ、前記第１筐体および前記第２筐体が平行になる状態で外部に露出する少なくとも受話器機能を有する第２変換手段（スピーカあるいはスピーカ／マイクロフォン）と、前記第２筐体の第２内表面の先端側に設けられ、送話器機能を有する第３変換手段（マイクロフォン）と、前記第１筐体および前記第２筐体の相対的位置関係に従って、前記第１、第２および第３変換手段から選択された２つの手段を受話器および送話器としてそれぞれ機能させる制御手段と、を有することを特徴とする。好ましくは、前記制御手段は、前記第１および第２筐体が開いた状態で、前記第１変換手段を受話器として、前記第３変換手段を送話器としてそれぞれ機能させ、前記第１筐体の前記第１内表面を外部に露出して前記第１および第２筐体を閉じた状態で、前記第２変換手段を受話器として、前記第１変換手段を送話器としてそれぞれ機能させる。
【００１４】
前記第１筐体の前記第１内表面には、さらに、副操作部が設けられ、前記制御手段は、前記第１筐体の前記第１内表面を外部に露出して前記第１および第２筐体を閉じた状態で、前記副操作部に着信応答および／または発信操作機能を割り当てることが望ましい。
【００１５】
【発明の実施の形態】
以下、携帯電話機を一例として、本発明による折り畳み式携帯通信装置の構成および動作を詳細に説明する。
【００１６】
第１実施形態
図１は本発明の第１実施形態による折り畳み式携帯電話機の構成および動作を説明するための図であり、（ａ）は上側ユニットを開いた状態の平面図、（ｂ）は表示部を内側にして閉じた状態の携帯電話機の平面図、（ｃ）は表示部を外側にして閉じた状態の表示部側から見た平面図である。
【００１７】
図１に示すように、本実施形態による折り畳み式携帯電話機は、主に、下側ユニット１００と、上側ユニット２００と、これらユニットを連結する２軸式のヒンジ部３００とから構成される。ヒンジ部３００は、後述するように、上側ユニット２００を下側ユニット１００に対して開閉（矢印Ｄ１）方向および回転（矢印Ｄ２）方向に移動させることができる。
【００１８】
下側ユニット１００および上側ユニット２００は、所定の厚みを有しほぼ同じ大きさの扁平な長円形状を有する。下側ユニット１００には、その主平面１０１ａにテンキーを含むキー操作部１０２とマイクロフォン（送話器）１０３とが設けられている。ただし、本実施形態では上側ユニット２００より下側ユニット１００の方が若干長い長円形状を有し、閉じたときにマイクロフォン１０３が露出するか、あるいは、図１（ｃ）に示す閉じた状態で声を拾うことができるように下側ユニット１００の先端部分に空間を残すのが望ましい。
【００１９】
上側ユニット２００の主平面２０１ａには、ほぼ矩形の表示部２０２が縦長に配置され、また表示部２０２を挟んで主平面２０１ａの上部に第１スピーカ（受話器）２０３および副操作キー２０７が、主平面２０１ａの下部に第２スピーカ（受話器）２３０がそれぞれ設けられている。なお、上側ユニット２００の背面には、小型の副表示部２０６が設けられている。
【００２０】
図１（ｂ）に示す閉じた状態では、下側ユニット１００と上側ユニット２００のそれぞれの主平面１００ａおよび２００ａが重なっており、両ユニットによってキー操作部１０２および表示部２０２等が保護される。
【００２１】
図１（ａ）に示すように、上側ユニット２００を矢印Ｄ１方向に開くと、キー操作部１０２、表示部２０２、マイクロフォン１０３および第１および第２スピーカ２０３および２３０が露出し、ダイヤリングやデータ入力等のキー操作および通話が可能になる。
【００２２】
図１（ａ）に示す開いた状態から上側ユニット２００を矢印Ｄ２方向に回転させることで、図１（ｃ）に示すように、主表面２０１ａを外側に向けて上側ユニット２００を下側ユニット１００に対して重ねることができる。この状態では、表示部２０２と共に第１スピーカ２０３および第２スピーカ２３０が外側に露出する。後述するように、この閉じた状態では、第２スピーカ２３０が受話器として機能し、マイクロフォン１０３が送話器として機能するように制御される。
【００２３】
次に、このような開閉および回転動作を可能にする２軸式のヒンジ部３００の一例を簡単に説明する。なお、ここで例示する２軸式のヒンジ部３００の構造および動作は、本出願人が平成１３年９月２８日に出願した特願２００１−３０３９５９号の明細書に記載されている。
【００２４】
図２は本発明の第１実施形態において用いられるヒンジユニットの斜視図である。図２において、ベースプレート３０４は下側ユニット１００に固定される。ベースプレート３０４の中央には回転トルク発生部（図示せず）を介して回転軸３０１が垂直に設けられている。回転軸３０１は矢印Ｄ２方向に回転可能に支持されている。この回転軸３０１には、回転軸３０１に直交する水平方向に延びた開閉軸３０２が矢印Ｄ１方向に回転可能に支持されている。開閉軸３０２の両端にはそれぞれＬ字形のブラケット３０３が設けられ、これらが上側ユニット２００に固定される。さらに、開閉軸３０２には開閉トルク発生部３０５，３０６および３０８が設けられ、矢印Ｄ１方向に開閉トルクを発生させる。このようなヒンジ部３００により、図１で説明したような開閉および回転動作が可能となる。
【００２５】
図３は本実施形態における上側ユニットの姿勢検出機構の一例を示す図であり、（ａ）は下側ユニット１００に設けられた磁気センサの配置図であり、（ｂ）は上側ユニット２００に設けられたマグネットの配置図である。
【００２６】
図３（ａ）に示すように、下側ユニット１００にはヒンジ部３００を中心として円周上に磁気センサ１１２ａおよび１１２ｂが所定の間隔で配置され、更に下側ユニット１００のマイクロフォン１０３の近くに磁気センサ１１２ｃが配置されている。ここでは、磁気センサ１１２ａ〜１１２ｃとしてホール素子を用いる。ホール素子は、磁界の有無だけでなく磁界の向きも同時に検出できるからである。
【００２７】
図３（ｂ）に示すように、上側ユニット２００には、下側ユニット１００の磁気センサ１１２ａおよび１１２ｂに対応する円弧に沿った位置にマグネット２０４ａが埋め込まれており、マグネット２０４ａのＳ極は背面側、Ｎ極は表示部２０２側をそれぞれ向いている。さらに、上側ユニット２００には、下側ユニット１００の磁気センサ１１２ｃに対応する位置にマグネット２０４ｂが設けられている。
【００２８】
図４は上側ユニット２００が矢印Ｄ２方向に回転した時のセンサおよびマグネットの相対的位置を示す模式図である。図４において、位置Ｌｏ１およびＬｏ４は、図１（ｂ）に示す閉じた状態にあるときのマグネット２０４ａおよび２０４ｂのそれぞれの位置を示す。この場合、磁気センサ１１２ａ〜１１２ｃはすべて磁界を検出しており、磁気センサ１１２ａおよび１１２ｂは共にＮ極を検出している。これによって、上側ユニット２００が表示部２０２を内側にして閉じていることを検出できる。
【００２９】
この閉じた状態から上側ユニット２００を矢印Ｄ２方向に回転させると、マグネット２０４ａはたとえば位置Ｌｏ２へ移動する。この場合、磁気センサ１１２ｂは依然としてＮ極の磁界を検出しているが、他の磁気センサ１１２ａおよび１１２ｃはすべて磁界を検出しなくなる。これによって、上側ユニット２００が左方向に約９０°回転したことを検出できる。
【００３０】
図１（ｂ）の閉じた状態から図１（ａ）のように上側ユニット２００を開くと、マグネット２０４ｂは磁気センサ１１２ｃから離れ、さらに、マグネット２０４ａは位置Ｌｏ３へ移動する。したがって、磁気センサ１１２ａ〜１１２ｃはすべて磁界を検出しなくなる。これによって、上側ユニット２００が開いていることを検出できる。
【００３１】
さらに、図１（ｃ）に示すように上側ユニット２００の主表面２０１ａを外側に向けて閉じた状態では、上側ユニット２００が上下反転しているために、磁気センサ１１２ａおよび１１２ｂは共にＳ極を検出し、かつ、磁気センサ１１２ｃはマグネット２０４ｂが反対側にあるために磁界を検出しない。これによって、上側ユニット２００が主表面２０１ａを外側に向けて閉じていることを検出できる。
【００３２】
このようにして磁気センサ１１２ａ〜１１２ｃの出力をモニタすることにより、下側ユニット１００に対する上側ユニット２００の姿勢を判定することができる。姿勢判定のための回路は、次に述べるように、携帯電話機の内部に設けられている。
【００３３】
図５は、本発明の第１実施形態による携帯電話機の内部電気回路を示す回路図である。図１と同じ構成部には同じ参照番号を付している。
【００３４】
図５において、下側ユニット１００には、上述した構成部、すなわち、主操作部１０２や磁気センサ１１２ａ〜１１２ｃの他に、次に述べる回路ブロックを有する。
【００３５】
磁気センサ１１２ａ〜１１２ｃの各出力は姿勢検出部１１３に入力し、姿勢検出部１１３は、上述したように上側ユニット２００の下側ユニット１００に対する相対的な位置（姿勢）を検出する（たとえば、図１に示すような各姿勢）。検出された姿勢は携帯電話機の制御部１１７へ通知され、上側ユニット２００の姿勢に応じて携帯電話機のモード変更や受話器（スピーカ）選択などの各種制御を行うことができる（詳しくは後述する）。制御部１１７は、携帯電話機の着信制御、通信制御などの全体的制御を行うものであり、具体的にはＣＰＵなどのプログラム制御プロセッサである。
【００３６】
表示制御部１１４は、制御部１１７の制御の下で、上側ユニット２００に設けられた主表示部２０２および副表示部２０６の表示制御を行う。また、キー制御部１１６は、主操作部１０２および副操作部２０７のキー入力制御を行い、また制御部１１７の制御に従って、操作キーの機能割り当て変更を行うことができる。たとえば、図１（ｃ）に示す閉じた状態において、副操作部２０７に着信応答／発信操作機能を割り当てることで、閉じたままで着信応答あるいは発信操作が可能になる。
【００３７】
携帯電話機による音声通話は、通信制御部１１５が無線（ＲＦ）部、変復調器（ＭＯＤＥＭ）、ベースバンド処理部、および、音声コーデック（ＣＯＤＥＣ）１１８を制御することにより行われる。音声コーデック１１８は、マイクロフォン（送話器）１０３により電気信号に変換された送信音声信号を符号化してベースバンド処理部へ出力し、またベースバンド処理部からの受信音声データを復号して受信音声信号を上側ユニット２００の選択スイッチ２３１へ出力する。
【００３８】
選択スイッチ２３１は、制御部１１７の制御に従って、第１スピーカ（受話器）２０３および第２スピーカ（受話器）２３０の何れかを選択する。音声コーデック１１８からの受信音声信号は、選択されたスピーカへ出力され音声に変換される。具体的には、図１（ａ）に示すような開いた状態では、通常の第１スピーカ２０３が選択され、第１スピーカ２０３を受話器とし、マイクロフォン１０３を送話器として通話が行われる。これに対して、図１（ｃ）に示すような主表面２０１ａが外側に向いて閉じられた状態では、第２スピーカ２３０が選択され、第２スピーカ２３０を受話器とし、マイクロフォン１０３を送話器として通話が行われる。なお、選択スイッチ２３１は下側ユニット１００に設けられてもよい。
【００３９】
このように、姿勢検出部１１３により検出された上側ユニット２００の姿勢に応じて、第１スピーカ２０３と第２スピーカ２３０のいずれかが受話器として選択される。したがって、図１（ｃ）に示すような主表面２０１ａが外側に向いて閉じられた状態で着信しても、ユニットを開いたり回転させたりすることなく即座に応答することができ、また、発信する場合も副操作部２０７を操作することで容易に発信することができる。また、通話中であっても、上側ユニット２００の姿勢を変化させれば、その姿勢に適した受話器を自動的に選択することができる。
【００４０】
第２実施形態
図６は本発明の第２実施形態による折り畳み式携帯電話機の構成および動作を説明するための図であり、（ａ）は上側ユニットを開いた状態の平面図、（ｂ）は表示部を内側にして閉じた状態の携帯電話機の平面図、（ｃ）は表示部を外側にして閉じた状態の表示部側から見た平面図である。なお、図１に示す第１実施形態と同じ部材には同じ参照番号を付して説明は省略する。
【００４１】
図６に示すように、本実施形態による折り畳み式携帯電話機は、主に、下側ユニット１００と、上側ユニット２００と、これらユニットを連結する２軸式のヒンジ部３００とから構成される。ヒンジ部３００は、第１実施形態と同様に、図２に示す構造を有し、下側ユニット１００に対する上側ユニット２００の開閉／回転動作を可能にする。
【００４２】
本実施形態の下側ユニット１００には、その主平面１０１ａにテンキーを含むキー操作部１０２とマイクロフォン（送話器）１０３とが設けられている。上側ユニット２００の主平面２０１ａには、表示部２０２を挟んで主平面２０１ａの上部にスピーカ／マイクロフォン（送受話器）２０３ａおよび操作キー２０７が、主平面２０１ａの下部にスピーカ（受話器）２３０がそれぞれ設けられている。スピーカ／マイクロフォン２０３ａとしては、たとえば特許文献２に記載されたスピーカ／マイク兼用の電気信号振動変換器と同様の原理を利用することができる。
【００４３】
図６（ａ）に示すように、上側ユニット２００を開くと、キー操作部１０２、表示部２０２、マイクロフォン１０３、スピーカ／マイクロフォン２０３ａおよびスピーカ２３０が露出し、ダイヤリングやデータ入力等のキー操作および通話が可能になる。
【００４４】
図６（ａ）に示す開いた状態から上側ユニット２００を回転させることで、図６（ｃ）に示すように、主表面２０１ａを外側に向けて上側ユニット２００を下側ユニット１００に対して重ねることができる。この状態では、表示部２０２と共にスピーカ／マイクロフォン２０３ａおよびスピーカ２３０が外側に露出する。後述するように、この閉じた状態では、スピーカ２３０が受話器として機能し、スピーカ／マイクロフォン２０３ａが送話器として機能するように制御される。
【００４５】
なお、本実施形態による携帯電話機においても、第１実施形態と同様に、図３に示す姿勢検出機構が設けられ、上側ユニット２００の姿勢検出を行うものとする。
【００４６】
図７は、本発明の第２実施形態による携帯電話機の内部電気回路を示す回路図である。図５と同じ回路ブロックには同じ参照番号を付して説明は省略する。
【００４７】
図７において、下側ユニット１００には、音声コーデック（ＣＯＤＥＣ）１１８に接続されたマイクロフォン１０３と選択スイッチ１３０とが設けられている。
【００４８】
選択スイッチ１３０は、制御部１１７の制御に従って、スピーカ／マイクロフォン２０３ａおよびスピーカ２３０の何れかを選択し、音声コーデック１１８からの受信音声信号を選択されたスピーカへ出力する。具体的には、図６（ａ）に示すような開いた状態ではスピーカ／マイクロフォン２０３ａが選択され、スピーカ／マイクロフォン２０３ａをスピーカ（受話器）とし、マイクロフォン１０３を送話器として通話が行われる。これに対して、図６（ｃ）に示すような主表面２０１ａが外側に向いて閉じられた状態ではスピーカ２３０が選択され、スピーカ２３０を受話器とし、マイクロフォン１０３を送話器として通話が行われる。なお、選択スイッチ１３０は上側ユニット２００に設けられてもよい。
【００４９】
このように、姿勢検出部１１３により検出された上側ユニット２００の姿勢に応じて、マイクロフォン１０３、スピーカ／マイクロフォン２０３ａおよびスピーカ２３０から適切な送話器および受話器が選択される。したがって、図６（ｃ）に示すような主表面２０１ａが外側に向いて閉じられた状態で着信しても、ユニットを開いたり回転させたりすることなく即座に応答することができ、また、発信する場合も副操作部２０７を操作することで容易に発信することができる。また、通話中であっても、上側ユニット２００の姿勢を変化させれば、その姿勢に適した送話器および受話器を自動的に選択することができる。
【００５０】
第３実施形態
図８は本発明の第３実施形態による折り畳み式携帯電話機の構成および動作を説明するための図であり、（ａ）は上側ユニットを開いた状態の平面図、（ｂ）は表示部を内側にして閉じた状態の携帯電話機の平面図、（ｃ）は表示部を外側にして閉じた状態の表示部側から見た平面図である。なお、図１に示す第１実施形態と同じ部材には同じ参照番号を付して説明は省略する。
【００５１】
図８に示すように、本実施形態による折り畳み式携帯電話機は、主に、下側ユニット１００と、上側ユニット２００と、これらユニットを連結する２軸式のヒンジ部３００とから構成される。ヒンジ部３００は、第１実施形態と同様に、図２に示す構造を有し、下側ユニット１００に対する上側ユニット２００の開閉／回転動作を可能にする。
【００５２】
本実施形態における上側ユニット２００の主平面２０１ａには、表示部２０２を挟んで主平面２０１ａの上部にスピーカ／マイクロフォン（送受話器）２４０および操作キー２０７が、主平面２０１ａの下部にスピーカ／マイクロフォン（送受話器）２４１がそれぞれ設けられている。スピーカ／マイクロフォン２４０および２４１としては、たとえば特許文献２に記載されたスピーカ／マイク兼用の電気信号振動変換器と同様の原理を利用することができる。
【００５３】
図８（ａ）に示すように、上側ユニット２００を開くと、キー操作部１０２、表示部２０２、マイクロフォン１０３、スピーカ／マイクロフォン２４０および２４１が露出し、ダイヤリングやデータ入力等のキー操作および通話が可能になる。
【００５４】
図８（ａ）に示す開いた状態から上側ユニット２００を回転させることで、図８（ｃ）に示すように、主表面２０１ａを外側に向けて上側ユニット２００を下側ユニット１００に対して重ねることができる。この状態では、表示部２０２と共にスピーカ／マイクロフォン２４０および２４１が外側に露出する。後述するように、この閉じた状態では、スピーカ／マイクロフォン２４１が受話器として機能し、スピーカ／マイクロフォン２４０が送話器として機能するように制御される。
【００５５】
なお、本実施形態による携帯電話機においても、第１実施形態と同様に、図３に示す姿勢検出機構が設けられ、上側ユニット２００の姿勢検出を行うものとする。
【００５６】
図９は、本発明の第３実施形態による携帯電話機の内部電気回路を示す回路図である。図５と同じ回路ブロックには同じ参照番号を付して説明は省略する。
【００５７】
図９において、上側ユニット２００には、音声コーデック（ＣＯＤＥＣ）１１８に接続された選択スイッチ２４２と、選択スイッチに接続されたスピーカ／マイクロフォン２４０および２４１とが設けられている。
【００５８】
選択スイッチ２４２は、制御部１１７の制御に従って、スピーカ／マイクロフォン２４０および２４１の何れかを選択し、音声コーデック１１８からの受信音声信号を選択されたスピーカへ出力する。具体的には、図８（ａ）に示すような開いた状態ではスピーカ／マイクロフォン２４０が選択され、スピーカ／マイクロフォン２４０をスピーカ（受話器）とし、スピーカ／マイクロフォン２４１をマイクロフォン（送話器）として通話が行われる。これに対して、図８（ｃ）に示すような主表面２０１ａが外側に向いて閉じられた状態ではスピーカ／マイクロフォン２４１が選択され、スピーカ／マイクロフォン２４１を受話器とし、スピーカ／マイクロフォン２４０を送話器として通話が行われる。なお、選択スイッチ２４２は下側ユニット１００に設けられてもよい。
【００５９】
このように、姿勢検出部１１３により検出された上側ユニット２００の姿勢に応じて、スピーカ／マイクロフォン２４０および２４１を送話器および受話器として決定する。したがって、図８（ｃ）に示すような主表面２０１ａが外側に向いて閉じられた状態で着信しても、ユニットを開いたり回転させたりすることなく即座に応答することができ、また、発信する場合も副操作部２０７を操作することで容易に発信することができる。また、通話中であっても、上側ユニット２００の姿勢を変化させれば、その姿勢に適した送話器および受話器を自動的に決定することができる。
【００６０】
第４実施形態
図１０は本発明の第４実施形態による折り畳み式携帯電話機の構成および動作を説明するための図であり、（ａ）は上側ユニットを開いた状態の平面図、（ｂ）は表示部を内側にして閉じた状態の携帯電話機の平面図、（ｃ）は表示部を外側にして閉じた状態の表示部側から見た平面図である。なお、図１に示す第１実施形態と同じ部材には同じ参照番号を付して説明は省略する。
【００６１】
図１０に示すように、本実施形態による折り畳み式携帯電話機は、主に、下側ユニット１００と、上側ユニット２００と、これらユニットを連結する２軸式のヒンジ部３００とから構成される。ヒンジ部３００は、第１実施形態と同様に、図２に示す構造を有し、下側ユニット１００に対する上側ユニット２００の開閉／回転動作を可能にする。
【００６２】
本実施形態の下側ユニット１００には、その主平面１０１ａにテンキーを含むキー操作部１０２とマイクロフォン１０３とが設けられている。上側ユニット２００の主平面２０１ａには、主平面２０１ａの上部にスピーカ／マイクロフォン（送受話器）２０３ｂおよび操作キー２０７が設けられている。スピーカ／マイクロフォンとしては、たとえば特許文献２に記載されたスピーカ／マイク兼用の電気信号振動変換器と同様の原理を利用することができる。
【００６３】
さらに、本実施形態においては、ヒンジ部３００の上面部にスピーカ３３０が設けられている。ヒンジ部３００は構造は図３に示すとおりであるが、本実施形態では、さらに回転軸３０１の先端部に円筒状ケースを取り付け、このケース内にスピーカ３３０を組み込むことができる。円筒状ケースの具体例については、本出願人が平成１４年３月２９日に出願した特願２００２−０９６３１３号を参照されたい。
【００６４】
図１０（ａ）に示すように、上側ユニット２００を開くと、キー操作部１０２、表示部２０２、マイクロフォン１０３、スピーカ／マイクロフォン２０３ｂが露出し、ダイヤリングやデータ入力等のキー操作および通話が可能になる。
【００６５】
図１０（ａ）に示す開いた状態から上側ユニット２００を回転させることで、図１０（ｃ）に示すように、主表面２０１ａを外側に向けて上側ユニット２００を下側ユニット１００に対して重ねることができる。この状態では、表示部２０２と共にスピーカ／マイクロフォン２０３ｂが外側に露出する。後述するように、この閉じた状態では、ヒンジ部３００のスピーカ３３０が受話器として機能し、スピーカ／マイクロフォン２０３ｂが送話器として機能するように制御される。
【００６６】
なお、本実施形態による携帯電話機においても、第１実施形態と同様に、図３に示す姿勢検出機構が設けられ、上側ユニット２００の姿勢検出を行うものとする。
【００６７】
図１１は、本発明の第４実施形態による携帯電話機の内部電気回路を示す回路図である。図５と同じ回路ブロックには同じ参照番号を付して説明は省略する。
【００６８】
図１１において、下側ユニット１００には、音声コーデック（ＣＯＤＥＣ）１１８に接続された選択スイッチ１４０と、選択スイッチ１４０に接続されたマイクロフォン１０３およびスピーカ３３０とが設けられている。また、上側ユニット２００のスピーカ／マイクロフォン２０３ｂも選択スイッチ１４０に接続されている。
【００６９】
選択スイッチ１４０は、制御部１１７の制御に従って、マイクロフォン１０３、スピーカ３３０およびスピーカ／マイクロフォン２０３ｂから通話に必要な送話器および受話器のペアを選択する。具体的には、図１０（ａ）に示すような開いた状態ではスピーカ／マイクロフォン２０３ｂとマイクロフォン１０３とが選択され、スピーカ／マイクロフォン２０３ｂをスピーカ（受話器）とし、マイクロフォン１０３を送話器として通話が行われる。これに対して、図１０（ｃ）に示すような主表面２０１ａが外側に向いて閉じられた状態ではスピーカ３３０とスピーカ／マイクロフォン２０３ｂとが選択され、スピーカ３３０を受話器とし、スピーカ／マイクロフォン２０３ｂを送話器として通話が行われる。
【００７０】
このように、姿勢検出部１１３により検出された上側ユニット２００の姿勢に応じて、マイクロフォン１０３、スピーカ３３０およびスピーカ／マイクロフォン２０３ｂから送話器および受話器のペアを選択される。したがって、図１０（ｃ）に示すような主表面２０１ａが外側に向いて閉じられた状態で着信しても、ユニットを開いたり回転させたりすることなく即座に応答することができ、また、発信する場合も副操作部２０７を操作することで容易に発信することができる。また、通話中であっても、上側ユニット２００の姿勢を変化させれば、その姿勢に適した送話器および受話器を自動的に選択することができる。
【００７１】
以上説明した第１〜第４実施形態における受話器および送話器の機能割り当てを表１にまとめて示す。
【００７２】
【表１】
2004336091.tif 000003
【００７３】
着信／発信時の動作制御
図１２（ａ）は本発明による携帯電話機の着信時の制御動作を示すフローチャートであり、（ｂ）は発信時の制御動作を示すフローチャートである。
【００７４】
図１２（ａ）において、着信が検知されると（ステップＳ１０１のＹｅｓ）、制御部１１７は音あるいは光で着信をユーザに報知する。この着信に対してユーザが操作部１０２あるいは副操作部２０７を操作することで応答すると（ステップＳ１０２のＹｅｓ）、制御部１１７は報知を停止し（ステップＳ１０３）、姿勢検出部１１３により検出されたその時点での姿勢（ユニットの相対的位置関係）を判定する（ステップＳ１０５）。
【００７５】
図１（ｃ）、図６（ｃ）、図８（ｃ）あるいは図１０（ｃ）に示すように主表面２０１ａが外部に露出して閉じられている場合には（ステップＳ１０５のＹｅｓ）、各実施形態において上記表１の状態（１）の欄に示す受話器および送話器の割り当てにより通話が制御される（ステップＳ１０６）。主表面２０１ａが外部に露出して閉じられている状態以外の場合には（ステップＳ１０５のＮｏ）、各実施形態において表１の状態（１）以外の状態の欄に示す受話器および送話器の割り当てにより通話が制御される（ステップＳ１０７）。
【００７６】
このような通話制御がユニットの姿勢変化を検出するまで、あるいは、通話が終了するまで続けられる（ステップＳ１０８およびステップＳ１０９のＮｏ）。通話中にユニットの姿勢変化が検出されると（ステップＳ１０８のＹｅｓ）、ステップＳ１０５へ戻り、新たなユニットの姿勢で上記ステップＳ１０５〜Ｓ１０９が繰り返される。
【００７７】
通話が終了すると（ステップＳ１０９のＹｅｓ）、あるいは、ステップＳ１０２で着信応答せずに切断した場合には（ステップＳ１０４のＹｅｓ）、着信履歴を更新して（ステップＳ１１０）処理を終了する。
【００７８】
図１２（ｂ）において、ユーザが発信キーを操作すると（ステップＳ２０１のＹｅｓ）、制御部１１７は、姿勢検出部１１３により検出されたその時点での姿勢（ユニットの相対的位置関係）を判定する（ステップＳ２０２）。
【００７９】
図１（ｃ）、図６（ｃ）、図８（ｃ）あるいは図１０（ｃ）に示すように主表面２０１ａが外部に露出して閉じられている場合には（ステップＳ２０２のＹｅｓ）、各実施形態において上記表１の状態（１）の欄に示す受話器および送話器の割り当てにより通話が制御される（ステップＳ２０３）。主表面２０１ａが外部に露出して閉じられている状態以外の場合には（ステップＳ２０２のＮｏ）、各実施形態において表１の状態（１）以外の状態の欄に示す受話器および送話器の割り当てにより通話が制御される（ステップＳ２０４）。
【００８０】
このような通話制御がユニットの姿勢変化を検出するまで、あるいは、通話が終了するまで続けられる（ステップＳ２０５およびステップＳ２０６のＮｏ）。通話中にユニットの姿勢変化が検出されると（ステップＳ２０５のＹｅｓ）、ステップＳ２０２へ戻り、新たなユニットの姿勢で上記ステップＳ２０２〜Ｓ２０６が繰り返される。
【００８１】
通話が終了すると（ステップＳ２０６のＹｅｓ）、発信履歴を更新して（ステップＳ２０７）処理を終了する。
【００８２】
【発明の効果】
以上説明したように、本発明によれば、上側ユニットと下側ユニットとの相対的位置関係（姿勢）に応じて、複数のスピーカ、マイクロフォンおよびスピーカ／マイクロフォンから通話に使用される送話器および受話器を選択する。したがって、上側ユニットの主表面が外側に向いて閉じられた状態で着信しても、ユニットを開いたり回転させたりすることなく即座に応答することができる。また、表示部でメールチェック等を行っている時でも、そのままの状態で発信することができ、操作性が大幅に向上する。さらに、通話中であっても、上側ユニットの姿勢を変化させれば、その姿勢に適した送話器および受話器を自動的に選択して機能させることができる。
【図面の簡単な説明】
【図１】本発明の第１実施形態による折り畳み式携帯電話機の構成および動作を説明するための図であり、（ａ）は上側ユニットを開いた状態の平面図、（ｂ）は表示部を内側にして閉じた状態の携帯電話機の平面図、（ｃ）は表示部を外側にして閉じた状態の表示部側から見た平面図である。
【図２】本発明の第１実施形態において用いられるヒンジユニットの斜視図である。
【図３】本実施形態における上側ユニットの姿勢検出機構の一例を示す図であり、（ａ）は下側ユニット１００に設けられた磁気センサの配置図であり、（ｂ）は上側ユニット２００に設けられたマグネットの配置図である。
【図４】上側ユニット２００が矢印Ｄ２方向に回転した時のセンサおよびマグネットの相対的位置を示す模式図である。
【図５】本発明の第１実施形態による携帯電話機の内部電気回路を示す回路図である。
【図６】本発明の第２実施形態による折り畳み式携帯電話機の構成および動作を説明するための図であり、（ａ）は上側ユニットを開いた状態の平面図、（ｂ）は表示部を内側にして閉じた状態の携帯電話機の平面図、（ｃ）は表示部を外側にして閉じた状態の表示部側から見た平面図である。
【図７】本発明の第２実施形態による携帯電話機の内部電気回路を示す回路図である。
【図８】本発明の第３実施形態による折り畳み式携帯電話機の構成および動作を説明するための図であり、（ａ）は上側ユニットを開いた状態の平面図、（ｂ）は表示部を内側にして閉じた状態の携帯電話機の平面図、（ｃ）は表示部を外側にして閉じた状態の表示部側から見た平面図である。
【図９】本発明の第３実施形態による携帯電話機の内部電気回路を示す回路図である。
【図１０】本発明の第４実施形態による折り畳み式携帯電話機の構成および動作を説明するための図であり、（ａ）は上側ユニットを開いた状態の平面図、（ｂ）は表示部を内側にして閉じた状態の携帯電話機の平面図、（ｃ）は表示部を外側にして閉じた状態の表示部側から見た平面図である。
【図１１】本発明の第４実施形態による携帯電話機の内部電気回路を示す回路図である。
【図１２】（ａ）は本発明による携帯電話機の着信時の制御動作を示すフローチャートであり、（ｂ）は発信時の制御動作を示すフローチャートである。
【符号の説明】
１００  下側ユニット
１０２  キー操作部
１０３  マイクロフォン
２００  上側ユニット
２０１ａ  主表面
２０２  表示部
２０３  スピーカ
２０３ａ  スピーカ／マイクロフォン
２０３ｂ  スピーカ／マイクロフォン
２０７  副操作部
２３０  スピーカ
２４０  スピーカ／マイクロフォン
２４１  スピーカ／マイクロフォン
３００  ヒンジ部
３３０  スピーカ
【図１】
2004336091.tif 000004
【図２】
2004336091.tif 000005
【図３】
2004336091.tif 000006
【図４】
2004336091.tif 000007
【図５】
2004336091.tif 000008
【図６】
2004336091.tif 000009
【図７】
2004336091.tif 000010
【図８】
2004336091.tif 000011
【図９】
2004336091.tif 000012
【図１０】
2004336091.tif 000013
【図１１】
2004336091.tif 000014
【図１２】
2004336091.tif 000015